【手続補正書】
【提出日】平成29年10月30日(2017.10.30)
【手続補正１】
【補正対象書類名】特許請求の範囲
【補正対象項目名】全文
【補正方法】変更
【補正の内容】
【特許請求の範囲】
【請求項１】
物品とエマルジョンを含むコーティング組成物とを備えた、コーティングされた物品であって、
前記エマルジョンが少なくとも１種の水溶性モノマー及び少なくとも１種の水不溶性モノマーを含み、
前記水溶性モノマーが、メタクリル酸２−ヒドロキシエチル及びアクリル酸４−ヒドロキシブチルからなる群から選択され、
前記水不溶性モノマーが、アクリル酸メチル、アクリル酸エチル、アクリル酸ブチル、アクリル酸プロピル、アクリル酸２−エチルヘキシル、メタクリル酸ブチル、メタクリル酸メチル、メタクリル酸ラウリル、メタクリル酸ステアリル、メタクリル酸２−エチルヘキシル、メタクリル酸トリフルオロエチル、アクリル酸イソオクチル、アクリル酸イソデシル、及びメタクリル酸ジメチルアミノエチルからなる群から選択される、
コーティングされた物品。
【請求項２】
前記物品が手袋を含む、請求項１に記載のコーティングされた物品。
【請求項３】
前記エマルジョンが、界面活性剤、安定化剤、及び架橋剤からなる群から選択される１つ又は複数の追加の成分をさらに含み、
前記界面活性剤が、ラウリルエーテル硫酸ナトリウムを含み、
前記安定化剤がポリビニルアルコールを含み、
前記架橋剤が、ホルムアルデヒド、メラミンホルムアルデヒド、金属塩、アジリジン、イソシアネート、重クロム酸塩、多官能性アジリジン、チタニウムアセチルアセトネート、ポリアミド−エピクロロヒドリン型樹脂、及びカルボジイミド化合物からなる群から選択される、
請求項１または２に記載のコーティングされた物品。
【請求項４】
前記架橋剤がメラミンホルムアルデヒドを含む、請求項３に記載のコーティングされた物品。
【請求項５】
前記エマルジョンが、メタクリル酸２−ヒドロキシエチル、アクリル酸２−エチルヘキシル、及びメタクリル酸を含む、請求項１〜４のいずれか１項に記載のコーティングされた物品。
【請求項６】
前記エマルジョンが、メタクリル酸２−ヒドロキシエチル、アクリル酸２−エチルヘキシル、メタクリル酸メチル、及びメタクリル酸を含む、請求項１〜４のいずれか１項に記載のコーティングされた物品。
【請求項７】
コーティングされたゴム手袋の製造方法であって、前記方法が、
コーティング材料を、手袋型上に形成されたゴム手袋に塗布して、エマルジョンコーティング手袋を得るステップであって、コーティング材料は、少なくとも１種の水溶性モノマー及び少なくとも１種の水不溶モノマーを含有するエマルジョンを含むステップと、
手袋型上のエマルジョンコーティング手袋を、１００℃から１６０℃の間の温度で硬化するステップと、
エマルジョンコーティング手袋を、浸出溶液に曝すステップと、
任意選択で、エマルジョンコーティング手袋を、スラリー組成物に浸漬するステップと、
エマルジョンコーティング手袋を乾燥させるステップと、
コーティングされた手袋を手袋型から取り外して、コーティングされたゴム手袋を得るステップ
とを含み、
前記水溶性モノマーが、メタクリル酸２−ヒドロキシエチル及びアクリル酸４−ヒドロキシブチルからなる群から選択され、
前記水不溶性モノマーが、アクリル酸メチル、アクリル酸エチル、アクリル酸ブチル、アクリル酸プロピル、アクリル酸２−エチルヘキシル、メタクリル酸ブチル、メタクリル酸メチル、メタクリル酸ラウリル、メタクリル酸ステアリル、メタクリル酸２−エチルヘキシル、メタクリル酸トリフルオロエチル、アクリル酸イソオクチル、アクリル酸イソデシル、及びメタクリル酸ジメチルアミノエチルからなる群から選択される、
方法。
【請求項８】
前記エマルジョンが、界面活性剤、安定化剤、及び架橋剤からなる群から選択される１つ又は複数の追加の成分をさらに含み、
前記界面活性剤が、ラウリルエーテル硫酸ナトリウムを含み、
前記安定化剤がポリビニルアルコールを含み、
前記架橋剤が、ホルムアルデヒド、メラミンホルムアルデヒド、金属塩、アジリジン、イソシアネート、重クロム酸塩、多官能性アジリジン、チタニウムアセチルアセトネート、ポリアミド−エピクロロヒドリン型樹脂、及びカルボジイミド化合物からなる群から選択される、
請求項７に記載の方法。
【請求項９】
前記エマルジョンが、メタクリル酸２−ヒドロキシエチル、アクリル酸２−エチルヘキシル、及びメタクリル酸を含む、請求項７または８に記載の方法。
【請求項１０】
前記エマルジョンが、メタクリル酸２−ヒドロキシエチル、アクリル酸２−エチルヘキシル、メタクリル酸メチル、及びメタクリル酸を含む、請求項７または８に記載の方法。
【請求項１１】
前記エマルジョンコーティング手袋の硬化が、１３５℃から１４５℃の間の温度で行われる、請求項７〜１０のいずれか１項に記載の方法。
【請求項１２】
エマルジョンコーティング手袋の硬化が、２０から４０分間の間の時間行われる、請求項７〜１１のいずれか１項に記載の方法。
【請求項１３】
少なくとも１種の水溶性モノマーと、
少なくとも１種の水不溶性モノマーと、
界面活性剤、安定化剤、及び架橋剤からなる群から選択される１つ又は複数の追加の成分
とを含むコーティング組成物であって、
前記水溶性モノマーが、メタクリル酸２−ヒドロキシエチル及びアクリル酸４−ヒドロキシブチルからなる群から選択され、
前記水不溶性モノマーが、アクリル酸メチル、アクリル酸エチル、アクリル酸ブチル、アクリル酸プロピル、アクリル酸２−エチルヘキシル、メタクリル酸ブチル、メタクリル酸メチル、メタクリル酸ラウリル、メタクリル酸ステアリル、メタクリル酸２−エチルヘキシル、メタクリル酸トリフルオロエチル、アクリル酸イソオクチル、アクリル酸イソデシル、及びメタクリル酸ジメチルアミノエチルからなる群から選択される、
コーティング組成物。
【請求項１４】
前記スラリー組成物がシリコーンを含む、請求項７〜１２のいずれか１項に記載の方法。
【請求項１５】
前記エマルジョンコーティング手袋が、塩素化工程にかけられる、請求項７〜１２のいずれか１項に記載の方法。
【請求項１６】
前記エマルジョンコーティング手袋が、滑性化される、請求項７〜１２のいずれか１項に記載の方法。
【請求項１７】
前記コーティング材料を塗布する前に、型上に形成されたゴム手袋を、プライミング溶液で前処理するステップをさらに含み、
前記プライミング溶液が、硫酸、塩酸、及び硫酸アルミニウムからなる群から選択される化合物の１つを含む、
請求項７〜１２のいずれか１項に記載の方法。
【請求項１８】
コーティングされたラテックス手袋の製造方法であって、前記方法が、
手袋型上にラテックスフィルムを形成するステップと、
型上のラテックスフィルムを、プライミング溶液に浸漬するステップと、
ラテックスフィルムを、オーブン中、１００℃から１５０℃の間の温度で１から２分間乾燥させるステップと、
少なくとも１種の水溶性モノマー及び少なくとも１種の水不溶性モノマーを含有するコポリマーエマルジョンを含むコーティング組成物を用意するステップと、
コーティング組成物を、型上のラテックスフィルムに塗布して、エマルジョンコーティング手袋を得るステップと、
エマルジョンコーティング手袋を、１００℃から１６０℃の間の温度で硬化するステップと、
エマルジョンコーティング手袋を、手袋型から取り外して、コーティングされたラテックス手袋を得るステップ
とを含む、方法。
【請求項１９】
コーティング組成物をラテックスフィルムに塗布する間、コーティング組成物を、１５℃から７５℃の範囲の温度に保つことをさらに含む、請求項１８に記載の方法。
【請求項２０】
エマルジョンを硬化するステップが、３０分間の時間、硬化することをさらに含む、請求項１８または１９に記載の方法。
【請求項２１】
前記水溶性モノマーが、全モノマー重量の５０％から９７％を占める、請求項１８〜２０のいずれか１項に記載の方法。
【請求項２２】
前記水不溶性モノマーが、全モノマー重量の少なくとも１５％を占める、請求項１８〜２０のいずれか１項に記載の方法。